(57)【特許請求の範囲】
【請求項１】
社会的関係の分析方法であって、社会的関係の分析装置に応用され、
第一電子デバイスと第二電子デバイスとの間のターゲットインタラクション情報を取得することと、
前記ターゲットインタラクション情報に基づいて、前記第一電子デバイスの第一ユーザと前記第二電子デバイスの第二ユーザとの間の社会的関係を確定することと
を含み、
前記第一電子デバイスと第二電子デバイスとの間のターゲットインタラクション情報を取得することは、
前記第一電子デバイスと前記第二電子デバイスとの間の元のインタラクション情報を取得することと、
前記元のインタラクション情報を濾過し、前記ターゲットインタラクション情報を取得することと
を含み、
前記元のインタラクション情報は、
インタラクション信号強度値、インタラクション距離値およびインタラクション時間のうちの少なくとも一つを含み、
前記ターゲットインタラクション情報に基づいて、前記第一電子デバイスの第一ユーザと前記第二電子デバイスの第二ユーザとの間の社会的関係を確定することは、
ターゲットインタラクション信号強度値がプリセット強度値を超える場合、前記社会的関係が親密な社会的関係であることを確定すること、
ターゲットインタラクション距離値がプリセット距離値より小さい場合、前記社会的関係が親密な社会的関係であることを確定すること、
ターゲットインタラクション時間がプリセット時間を超える場合、前記社会的関係が親密な社会的関係であることを確定すること
のうちの少なくとも一つを含む、方法。
【請求項２】
前記インタラクション信号強度値は、ブルートゥース強度値である、請求項１に記載の方法。
【請求項３】
前記インタラクション距離値を取得することは、
前記ブルートゥース強度値に基づいて、前記インタラクション距離値を取得することを含む、請求項２に記載の方法。
【請求項４】
前記インタラクション時間を取得することは、
前記第一電子デバイスと前記第二電子デバイスとの間のブルートゥースを介して通信する通信時間を取得し、かつ前記通信時間を前記インタラクション時間として確定すること、または、
前記第一電子デバイスと前記第二電子デバイスとの間の通話時間を取得し、かつ前記通話時間を前記インタラクション時間として確定すること
を含む、請求項１に記載の方法。
【請求項５】
前記元のインタラクション情報を濾過し、前記ターゲットインタラクション情報を取得することは、
前記元のインタラクション情報に対して濾過、ノイズ除去および正規化処理を順次行い、前記ターゲットインタラクション情報を取得することを含む、請求項１に記載の方法。
【請求項６】
前記第一電子デバイスの第一ユーザと前記第二電子デバイスの第二ユーザとの間の社会的関係を確定した後に、前記方法は、
アプリケーションプログラムＡＰＰにより前記社会的関係を提示することをさらに含む、請求項１に記載の方法。
【請求項７】
社会的関係の分析装置であって、
第一電子デバイスと第二電子デバイスとの間のターゲットインタラクション情報を取得するように構成される取得モジュールと、
前記取得モジュールにより取得された前記ターゲットインタラクション情報に基づいて、前記第一電子デバイスの第一ユーザと前記第二電子デバイスの第二ユーザとの間の社会的関係を確定するように構成される確定モジュールと
を含み、
前記取得モジュールは、
前記第一電子デバイスと第二電子デバイスとの間の元のインタラクション情報を取得するように構成される取得サブモジュールと、
前記取得サブモジュールにより取得された前記元のインタラクション情報を濾過し、前記ターゲットインタラクション情報を取得するように構成される濾過サブモジュールと
を含み、
前記元のインタラクション情報は、
インタラクション信号強度値、インタラクション距離値およびインタラクション時間のうちの少なくとも一つを含み、
前記確定モジュールは、
前記濾過サブモジュールにより濾過された前記ターゲットインタラクション情報のうちのターゲットインタラクション信号強度値がプリセット強度値を超える場合、前記社会的関係が親密な社会的関係であることを確定するように構成される第一確定サブモジュールと、
前記濾過サブモジュールにより濾過された前記ターゲットインタラクション情報のうちのターゲットインタラクション距離値がプリセット距離値より小さい場合、前記社会的関係が親密な社会的関係であることを確定するように構成される第二確定サブモジュールと、
前記濾過サブモジュールにより濾過された前記ターゲットインタラクション情報のうちのターゲットインタラクション時間がプリセット時間を超える場合、前記社会的関係が親密な社会的関係であることを確定するように構成される第三確定サブモジュールと
のうちの少なくとも一つを含む、装置。
【請求項８】
前記インタラクション信号強度値は、ブルートゥース強度値である、請求項７に記載の装置。
【請求項９】
前記取得サブモジュールは、
前記ブルートゥース強度値に基づいて、前記インタラクション距離値を取得するように構成される第一取得ユニットを含む、請求項８に記載の装置。
【請求項１０】
前記取得サブモジュールは、
前記第一電子デバイスと前記第二電子デバイスとの間のブルートゥースを介して通信する通話時間を取得し、かつ前記通話時間を前記インタラクション時間として確定するように構成される第二取得ユニット、または、
前記第一電子デバイスと前記第二電子デバイスとの間の通話時間を取得し、かつ前記通話時間を前記インタラクション時間として確定するように構成される第三取得ユニット
を含む、請求項７に記載の装置。
【請求項１１】
前記濾過サブモジュールは、
前記取得サブモジュールにより取得された前記元のインタラクション情報に対して濾過、ノイズ除去および正規化処理を順次行い、前記ターゲットインタラクション情報を取得するように構成される濾過ユニットを含む、請求項７に記載の装置。
【請求項１２】
前記装置は、
アプリケーションプログラムＡＰＰにより、前記確定モジュールにより確定された前記社会的関係を提示するように構成される提示モジュールをさらに含む、請求項７に記載の装置。
【請求項１３】
社会的関係の分析装置であって、
プロセッサと、
プロセッサ実行可能命令を記憶するように構成されるメモリと
を含み、
前記プロセッサは、
第一電子デバイスと第二電子デバイスとの間のターゲットインタラクション情報を取得することと、
前記ターゲットインタラクション情報に基づいて、前記第一電子デバイスの第一ユーザと前記第二電子デバイスの第二ユーザとの間の社会的関係を確定することと
を行うように構成され、
前記の第一電子デバイスと第二電子デバイスとの間のターゲットインタラクション情報を取得することは、
前記第一電子デバイスと前記第二電子デバイスとの間の元のインタラクション情報を取得することと、
前記元のインタラクション情報を濾過し、前記ターゲットインタラクション情報を取得することと
を含み、
前記元のインタラクション情報は、
インタラクション信号強度値、インタラクション距離値およびインタラクション時間のうちの少なくとも一つを含み、
前記ターゲットインタラクション情報に基づいて、前記第一電子デバイスの第一ユーザと前記第二電子デバイスの第二ユーザとの間の社会的関係を確定することは、
ターゲットインタラクション信号強度値がプリセット強度値を超える場合、前記社会的関係が親密な社会的関係であることを確定すること、
ターゲットインタラクション距離値がプリセット距離値より小さい場合、前記社会的関係が親密な社会的関係であることを確定すること、
ターゲットインタラクション時間がプリセット時間を超える場合、前記社会的関係が親密な社会的関係であることを確定すること
のうちの少なくとも一つを含む、装置。
【発明の詳細な説明】
【技術分野】
【０００１】
本願は出願番号２０１５１０５２４６５３．４、出願日２０１５年０８月２４日の中国特許出願に基づいて提案され、かつ該中国特許出願の優先権を主張し、該中国特許出願の全部の内容が本願に援用される。
【０００２】
本開示の実施例は、情報技術分野に関し、特に社会的関係分析方法および装置に関する。
【背景技術】
【０００３】
情報および通信技術の爆発的な発展、および電子デバイスの軽く、薄く、短く、小さい傾向に従って、ユーザが電子デバイス、例えば携帯電話またはリストバンド等を携帯する場合が多いので、ユーザの身辺に携帯する電子デバイスに基づいてユーザ間の社会的関係を分析することができる。
【０００４】
社会的関係を模擬するのが比較的複雑であるため、関連技術において、一般的には、ユーザよりまず一つの社会的グループの他のユーザとして自ら定義し、さらに身辺に携帯する電子デバイスによって同じ社会的グループにいる他のユーザの電子デバイスとペアリングした後に、対応する社会的関係分析データを生成する。このような分析方式が比較的簡単であり、分析結果が十分に正確ではない。
【発明の概要】
【発明が解決しようとする課題】
【０００５】
これを鑑みて、関連技術における社会的関係への分析が簡単で、分析結果が十分に正確ではないという問題を解決するために、本開示の実施例は、社会的関係分析方法および装置を提供する。
【課題を解決するための手段】
【０００６】
本開示の実施例の第一態様による社会的関係分析方法は、
第一電子デバイスと第二電子デバイスとの間のターゲットインタラクション情報を取得することと、
前記ターゲットインタラクション情報に基づいて、前記第一電子デバイスの第一ユーザと前記第二電子デバイスの第二ユーザとの間の社会的関係を確定することと、を含む。
【０００７】
任意的に、前記の第一電子デバイスと第二電子デバイスとの間のターゲットインタラクション情報を取得することは、
前記第一電子デバイスと前記第二電子デバイスとの間の元のインタラクション情報を取得することと、
前記元のインタラクション情報を濾過し、前記ターゲットインタラクション情報を取得すること、を含み、
ここで、前記元のインタラクション情報は、
インタラクション信号強度値、インタラクション距離値およびインタラクション時間のうちの少なくとも一つを含む。
【０００８】
任意的に、前記インタラクション信号強度値は、ブルートゥース強度値である。
【０００９】
任意的に、前記インタラクション距離値を取得することは、
前記インタラクション信号強度値に基づいて、前記インタラクション距離値を取得することを含む。
【００１０】
任意的に、前記インタラクション時間を取得することは、
前記第一電子デバイスと前記第二電子デバイスとの間のブルートゥースを介して通信する通信時間を取得し、かつ前記通信時間を前記インタラクション時間として確定すること、または、
前記第一電子デバイスと前記第二電子デバイスとの間の通話時間を取得し、かつ前記通話時間を前記インタラクション時間として確定すること、を含む。
【００１１】
任意的に、前記元のインタラクション情報を濾過し、前記ターゲットインタラクション情報を取得することは、
前記元のインタラクション情報に対して濾過、ノイズ除去および正規化処理を順次行い、前記ターゲットインタラクション情報を取得することを含む。
【００１２】
任意的に、前記ターゲットインタラクション情報に基づいて、前記第一電子デバイスの第一ユーザと前記第二電子デバイスの第二ユーザとの間の社会的関係を確定することは、
ターゲットインタラクション信号強度値がプリセット強度値を超える場合、前記社会的関係が親密な社会的関係であることを確定すること、
ターゲットインタラクション距離値がプリセット距離値より小さい場合、前記社会的関係が親密な社会的関係であることを確定すること、
ターゲットインタラクション時間がプリセット時間を超える場合、前記社会的関係が親密な社会的関係であることを確定することのうちの少なくとも一つを含む。
【００１３】
任意的に、前記第一電子デバイスの第一ユーザと前記第二電子デバイスの第二ユーザとの間の社会的関係を確定した後に、前記方法は、さらに、
アプリケーションプログラムＡＰＰにより前記社会的関係を提示することを含む。
【００１４】
本開示の実施例の第二態様による社会的関係分析装置は、
第一電子デバイスと第二電子デバイスとの間のターゲットインタラクション情報を取得するように構成される取得モジュールと、
前記取得モジュールにより取得された前記ターゲットインタラクション情報に基づいて、前記第一電子デバイスの第一ユーザと前記第二電子デバイスの第二ユーザとの間の社会的関係を確定するように構成される確定モジュールと、を含む。
【００１５】
任意的に、前記取得モジュールは、
前記第一電子デバイスと第二電子デバイスとの間の元のインタラクション情報を取得するように構成される取得サブモジュールと、
前記取得サブモジュールにより取得された前記元のインタラクション情報を濾過し、前記ターゲットインタラクション情報を取得するように構成される濾過サブモジュールと、を含む。
【００１６】
ここで、前記元のインタラクション情報は、
インタラクション信号強度値、インタラクション距離値およびインタラクション時間のうちの少なくとも一つを含む。
【００１７】
任意的に、前記インタラクション信号強度値は、ブルートゥース信号強度値である。
【００１８】
任意的に、前記取得サブモジュールは、
前記ブルートゥース信号強度値に基づいて、前記インタラクション距離値を取得するように構成される第一取得ユニットを含む。
【００１９】
任意的に、前記取得サブモジュールは、
前記第一電子デバイスと前記第二電子デバイスとの間のブルートゥースを介して通信する通話時間を取得し、かつ前記通話時間を前記インタラクション時間として確定するように構成される第二取得ユニット、または、
前記第一電子デバイスと前記第二電子デバイスとの間の通話時間を取得し、かつ前記通話時間を前記インタラクション時間として確定するように構成される第三取得ユニットを含む。
【００２０】
任意的に、前記濾過サブモジュールは、
前記取得サブモジュールにより取得された前記元のインタラクション情報に対して濾過、ノイズ除去および正規化処理を順次行い、前記ターゲットインタラクション情報を取得するように構成される濾過ユニットを含む。
【００２１】
任意的に、前記確定モジュールは、
前記濾過サブモジュールにより濾過された前記ターゲットインタラクション情報のうちのターゲットインタラクション信号強度値がプリセット強度値を超える場合、前記社会的関係が親密な社会的関係であることを確定するように構成される第一確定サブモジュールと、
前記濾過サブモジュールにより濾過された前記ターゲットインタラクション情報のうちのターゲットインタラクション距離値がプリセット距離値より小さい場合、前記社会的関係が親密な社会的関係であることを確定するように構成される第二確定サブモジュールと、
前記濾過サブモジュールにより濾過された前記ターゲットインタラクション情報のうちのターゲットインタラクション時間がプリセット時間を超える場合、前記社会的関係が親密な社会的関係であることを確定するように構成される第三確定サブモジュールとのうちの少なくとも一つを含む。
【００２２】
任意的に、前記装置は、さらに、
アプリケーションプログラムＡＰＰにより前記確定モジュールにより確定された前記社会的関係を提示するように構成される提示モジュールを含む。
【００２３】
本開示の実施例の第三態様による社会的関係分析装置は、
プロセッサと、
プロセッサ実行可能命令を記憶するように構成されるメモリと、を含み、
ここで、前記処理器は、
第一電子デバイスと第二電子デバイスとの間のターゲットインタラクション情報を取得し、
前記ターゲットインタラクション情報に基づいて、前記第一電子デバイスの第一ユーザと前記第二電子デバイスの第二ユーザとの間の社会的関係を確定するように構成される。
【００２４】
本開示の実施例による技術的解決手段は、以下のような有益な効果を有する。
【００２５】
本開示の実施例において、第一電子デバイスで第二電子デバイスとの間のターゲットインタラクション情報を自動的に取得し、続いて前記第一電子デバイスでターゲットインタラクション情報に基づいて、前記第一電子デバイスの第一ユーザと前記第二電子デバイスの第二ユーザとの間の社会的関係を確定し、ユーザの身辺に携帯する電子デバイスに基づいてユーザ間の社会的関係に対して定性分析を行うことができ、分析結果が比較的正確であることができる。
【００２６】
本開示の実施例において、インタラクション信号強度値、インタラクション距離値、インタラクション時間に基づいてユーザ間の社会的関係に対して定性分析を行うことができ、ユーザ体験を向上させる。
【００２７】
本開示の実施例において、信号強度値について二つの電子デバイス間のブルートゥース信号強度値を用いるので、インタラクション距離値は、前記ブルートゥース信号強度値によって確定されることができ、また全地球測位システムによりそれぞれ二つの電子デバイスの位置情報を取得することができ、さらに位置情報に基づいて算出した後に前記インタラクション距離値を確定し、インタラクション時間は、電子デバイス間のブルートゥースを介して通信する通信時間に基づいて確定されることができ、また電子デバイス間の通話時間に基づいて確定されることができ、身辺に携帯する電子デバイスに基づいてユーザ間の社会的関係の定性分析の正確性を確保する。
【００２８】
本開示の実施例において、ターゲットインタラクション信号強度値がプリセット強度値を超え、および／またはターゲット距離値がプリセット距離値より小さく、および／またはターゲットインタラクション時間がプリセット時間を超える場合、二つの電子デバイスのユーザ間が親密な社会的関係であることを定性分析することができ、分析結果が比較的正確であり、ユーザ体験が高い。
【００２９】
本開示の実施例において、ユーザ間の社会的関係を定性分析した後に、前記ＡＰＰにより前記社会的関係を提示することができ、ユーザ体験を向上させる。
【００３０】
以上の一般的な説明と後の詳細な説明は例示的と解釈的に過ぎなく、本開示を限定することができないと理解すべきである。
【図面の簡単な説明】
【００３１】
【図１】本開示の例示的実施例による社会的関係分析方法のフローチャートである。
【図２】本開示の例示的実施例による別の社会的関係分析方法のフローチャートである。
【図３】本開示の例示的実施例による別の社会的関係分析方法のフローチャートである。
【図４】本開示の例示的実施例による社会的関係分析装置のブロック図である。
【図５】本開示の例示的実施例による別の社会的関係分析装置のブロック図である。
【図６】本開示の例示的実施例による別の社会的関係分析装置のブロック図である。
【図７Ａ】本開示の例示的実施例による別の社会的関係分析装置のブロック図である。
【図７Ｂ】本開示の例示的実施例による別の社会的関係分析装置のブロック図である。
【図８】本開示の例示的実施例による別の社会的関係分析装置のブロック図である。
【図９】本開示の例示的実施例による別の社会的関係分析装置のブロック図である。
【図１０】本開示の例示的実施例による別の社会的関係分析装置のブロック図である。
【図１１】本開示の例示的実施例による社会的関係分析装置のための構造図である。
【発明を実施するための形態】
【００３２】
ここの図面は明細書に組み込まれかつ本明細書の一部を構成し、本開示に一致した実施例を示し、かつ明細書と一緒に本発明の原理を解釈することに用いられる。
【００３３】
ここで例示的実施例を詳細に説明し、その例が図面に示される。以下の説明が図面に関する場合、別に示されないと、異なる図面中の同じ数字は同じまたは類似の要素を表す。以下の例示的実施例に説明された実施形態は本開示の実施例と一致する全ての実施形態を代表しない。逆に、それらは特許請求の範囲に詳細に説明され、本開示の実施例のいくつかの方面と一致する装置および方法の例に過ぎない。
【００３４】
本開示の実施例で用いられる用語は、特定の実施例を説明するためのものだけであるが、本開示を限定することに用いられるものではない。コンテキストが明瞭に他の意味を表す以外に、本開示の実施例と特許請求の範囲に用いられた単数形の「一種」と「該」は複数形を含むことを意図しておる。また、本明細書で用いられる用語「および／または」は一つまたは複数の関連する列挙された項目のいずれかまたは全ての可能性のある組合せを意味し、かつそれを含むものであると理解すべきである。
【００３５】
本開示の実施例に用語第一、第二、第三等を用いて様々な情報を説明する可能性があるが、これらの情報は、これらの用語に限定されないと理解すべきである。これらの用語は、同一のタイプの情報を互いに区別するためのものだけである。例えば、本開示の実施例の範囲から逸脱しない場合で、第一情報は、第二情報と呼ばれることもでき、同様に、第二情報が第一情報と呼ばれることもできる。コンテキストに依存し、例えばここで用いられる用語「もし」は「．．．時」または「．．．場合」または“確定に応答する”と解釈されることができる。
【００３６】
図１に示すように、図１は本開示の例示的実施例による社会的関係分析方法のフローチャートであり、当該方法が以下のステップを含む。
【００３７】
ステップ１０１において、第一電子デバイスと第二電子デバイスにより交換されたターゲットインタラクション情報を取得する。
【００３８】
本開示の実施例に係る電子デバイスは、様々なスマート端末、例えば、スマートフォン、タブレット、パーソナルデジタルアシスタント（ＰＤＡ：Ｐｅｒｓｏｎａｌ  Ｄｉｇｉｔａｌ  Ａｓｓｉｓｔａｎｔ）等であってよい。
【００３９】
図２を参照して、図２は本開示の例示的実施例による別の社会的関係分析方法のフローチャートであり、ステップ１０１が図２に示され、ターゲットインタラクション情報の取得過程は、以下のステップを含むことができる。
【００４０】
ステップ１０１−１において、第一電子デバイスと第二電子デバイスとの間の元のインタラクション情報を取得する。
【００４１】
本ステップにおいて、二つの電子デバイス間の元のインタラクション情報を取得する必要がある。任意的に、元のインタラクション情報は、インタラクション信号強度値、インタラクション距離値とインタラクション時間のうちの少なくとも一つである。以下はそれぞれ前記元のインタラクション情報の取得過程を紹介する。
【００４２】
＜インタラクション信号強度値の取得過程＞
本開示の実施例において、任意的に、インタラクション信号強度値は、二つの電子デバイス間のブルートゥースを介して通信する場合のブルートゥース信号強度値である。
【００４３】
第一電子デバイスと第二電子デバイスは、先にブルートゥース接続を確立し、続いて関連技術により、前記二つの電子デバイス間のブルートゥース信号強度値を取得することができる。さらに、取得されたブルートゥース信号強度値をインタラクション信号強度値とする。
【００４４】
＜インタラクション距離値の取得過程＞
本開示の実施例において、以下の二種の方式のいずれの一種によってインタラクション距離値を取得することができる。
【００４５】
＜方式一＞
上記の第一電子デバイスと第二電子デバイスとの間のブルートゥース信号強度値を取得した基礎で、ブルートゥース信号強度値に基づいて、二つの電子デバイス間のインタラクション距離値を確定する。
【００４６】
関連技術において、二つの電子デバイス間の距離が短いほど、ブルートゥース信号強度値が大きく、距離が長いほど、ブルートゥース信号強度値が小さい。したがって、本開示の実施例において、既に取得された二つの電子デバイス間のブルートゥース信号強度値に基づいて、第一電子デバイスと第二電子デバイスとの間のインタラクション距離値を確定することができる。
【００４７】
＜方式二＞
上記の二つの電子デバイスにインストールされた全地球測位システム（ＧＰＳ：Ｇｌｏｂａｌ  Ｐｏｓｉｔｉｏｎｉｎｇ  Ｓｙｓｔｅｍ）により元の距離値を最終的に確定することができる。
【００４８】
関連技術に従って第一電子デバイスにインストールされたＧＰＳにより第一電子デバイスの第一位置情報を取得することができる。例えば、第一電子デバイスの経緯度情報を取得する。
【００４９】
同様に、第二電子デバイスは、自体にインストールされたＧＰＳにより関連技術に従って第二電子デバイスの第二位置情報を取得する。任意的に、さらに二つの電子デバイス間に確立されたブルートゥース接続により第二位置情報を第一電子デバイスに送信する。
【００５０】
第一電子デバイスは、第一位置情報を取得し、かつ第二位置情報を受信した後に、関連技術により二つの電子デバイス間の距離値を算出することができる。算出された距離値をインタラクション距離値とする。
【００５１】
＜インタラクション時間の取得過程＞
本開示の実施例において、同様に以下の二種の方式のうちのいずれの一種によってインタラクション時間を確定することができる。
【００５２】
＜方式一＞
第一電子デバイスと第二電子デバイスが既にブルートゥース接続を確立したため、二つの電子デバイス間のブルートゥースを介して通信する通信時間を直接インタラクション時間とすることができる。
【００５３】
＜方式二＞
二つの電子デバイスが通話した場合、通話時間をインタラクション時間とすることができる。本開示の実施例において、通話時間は、二つの電子デバイス間に一般的な電話コールサービスによって発生された時間であってよく、二つの電子デバイス間にビデオまたは音声通話アプリケーションプログラムＡＰＰにより通話した後に発生した時間であってもい。
【００５４】
本開示の実施例において、上記の方式によりインタラクション信号強度値、インタラクション距離値とインタラクション時間のうちの一つまたは複数を取得することができる。
【００５５】
ステップ１０１−２において、元のインタラクション情報を濾過し、ターゲットインタラクション情報を取得する。
【００５６】
本ステップにおいて、任意的に、元のインタラクション情報を取得した後に、関連技術により元のインタラクション情報を濾過し、その中の干渉メッセージを除去し、続いて関連技術によりノイズを除去し、その中のノイズを除去し、最後に関連技術により正規化処理を行い、それによってターゲットインタラクション情報を取得する。
【００５７】
ステップ１０２において、ターゲットインタラクション情報に基づいて、第一電子デバイスの第一ユーザと第二電子デバイスの第二ユーザとの間の社会的関係を確定する。
【００５８】
本ステップにおいて、任意的に、第一電子デバイスは、ターゲットインタラクション情報に基づいて、二つの電子デバイスのユーザの間の親密な社会的関係を確定することができ、ターゲットインタラクション情報にターゲットインタラクション信号強度値、ターゲット距離値とターゲットインタラクション時間のうちの一つまたは複数が含まれる。以下は異なるターゲットインタラクション情報について、以下の親密な社会的関係分析の過程を紹介する。
【００５９】
＜ターゲットインタラクション信号強度値に基づいて親密な社会的関係を確定する過程＞
ターゲットインタラクション信号強度値がプリセット強度値を超える場合、社会的関係が親密な社会的関係であることを確定する。
【００６０】
一般的な状況で、二つの電子デバイスが地理的位置で近いほど、ターゲットインタラクション信号強度値が大きく、ターゲットインタラクション信号強度値がプリセット強度値を超える場合、第一電子デバイスは、二つの電子デバイスのユーザの間の社会的関係が親密な社会的関係に属するのを確定することができる。
【００６１】
＜ターゲットインタラクション距離値に基づいて親密な社会的関係を確定する過程＞
同様に、ターゲットインタラクション距離値が小さいほど、二つの電子デバイスが地理的位置で近いことを示し、ターゲットインタラクション距離値がプリセット距離値より小さい場合、第一の電子デバイスは、二つの電子デバイスのユーザの間の社会的関係が親密な社会的関係に属するのを確定することができる。
【００６２】
＜ターゲットインタラクション時間に基づいて親密な社会的関係を確定する過程＞
二つの電子デバイス間のターゲットインタラクション時間が長いほど、二つの電子デバイスのユーザの間の関係が近いのを示し、ターゲットインタラクション時間がプリセット時間を超える場合、第一電子デバイスは、二つの電子デバイスのユーザの間の社会的関係が親密な社会的関係に属するのを確定することができる。
【００６３】
実際の応用において、第一電子デバイスは、ターゲットインタラクション情報のうちの複数の情報に基づいて二つの電子デバイスのユーザの間の社会的関係を分析することができ、分析結果の正確性を高める。例えば、ターゲットインタラクション信号強度値がプリセット強度値を超え、ターゲットインタラクション時間も同様にプリセット時間を超える場合、二つの電子デバイスのユーザの間の社会的関係が親密な社会的関係に属するのを確定することができる。
【００６４】
本開示の実施例において、ターゲットインタラクション情報により、二つの電子デバイスのユーザの間が親密な社会的関係に属するか否かを確定することができる以外、ユーザの間が比較的固定された一般的な社会的関係、例えば同僚関係に属するか否かを判断することができる。任意的に、ターゲットインタラクション情報を複数回取得することができ、その中の複数のターゲットインタラクション距離値同士が比較的近く、かつ複数のターゲットインタラクション信号強度値同士も同様に比較的近い場合、前記二つの電子デバイスのユーザの間の社会的関係が固定された一般的な社会的関係に属するのを確定することができる。
【００６５】
当然で、複数回取得されたターゲットインタラクション情報が比較的ランダムであり、または初回取得されたターゲットインタラクション情報のみが比較的ランダムである場合、本開示の実施例において、二つの電子デバイスのユーザの間の社会的関係が未知の社会的関係に属するのを確定することができる。
【００６６】
本開示の実施例において、第一電子デバイスの第一ユーザと第二電子デバイスの第二ユーザとの間の社会的関係を確定した後に、さらに社会的関係をアプリケーションプログラムＡＰＰに応用することができ、即ち上記方法はさらに以下のステップ（図１に示されない）を含む。
【００６７】
ステップ１０３において、アプリケーションプログラムＡＰＰにより社会的関係を提示する。
【００６８】
本ステップにおいて、ユーザ同士が電子デバイス上のＡＰＰにより関連関係を確立した場合、分析された社会的関係を提示することができる。例えば、ユーザ間が親密な社会的関係に属する場合、親密な通知を行うことができ、またはユーザ間が未知の社会的関係に属する場合、交友通知を設定することができる。
【００６９】
上記の実施例において、第一電子デバイスで第二電子デバイスとの間のターゲットインタラクション情報を自動的に取得し、続いて前記第一電子デバイスでターゲットインタラクション情報に基づいて、ユーザ間の社会的関係を確定し、ユーザの身辺に携帯する電子デバイスに基づいてユーザ間の社会的関係に対して定性分析を行うことができ、分析結果が比較的正確である。かつユーザの間の社会的関係を定性分析した後に、ＡＰＰにより社会的関係を提示することができ、ユーザ体験を向上させる。
【００７０】
図３に示すように、図３は本開示の例示的実施例による別の社会的関係分析方法のフローチャートであり、当該方法が以下のステップを含む。
【００７１】
ステップ３０１において、第一電子デバイスと第二電子デバイスとの間の元のインタラクション情報を取得する。
【００７２】
本ステップにおいて、二つの電子デバイス間の元のインタラクション情報を取得する必要がある。任意的に、元のインタラクション情報は、インタラクション信号強度値、インタラクション距離値とインタラクション時間のうちの少なくとも一つである。その中、インタラクション信号強度値については、二つの電子デバイス間のブルートゥースを介して通信する場合のブルートゥース信号強度値を用いることができる。
【００７３】
ブルートゥース距離値は、以下の二種の方式のうちのいずれの一種によって取得されることができる。
【００７４】
＜方式一＞
既に取得されたブルートゥース信号強度値に基づいて、二つの電子デバイス間のインタラクション距離値を確定する。
【００７５】
本開示の実施例において、任意的に、表１に示すように、ブルートゥース信号強度値とインタラクション距離値との間の対応関係を提供することができる。
【００７６】
【表１】
0006386059.tif 000002
実際の応用において、二つの電子デバイスが同一の距離を隔てる場合、環境等の様々な要因の影響のため、取得された二つの電子デバイス間のブルートゥース信号強度値も異なることができる。したがって、表１におけるブルートゥース信号強度値は、一つの範囲値であってよく、表２に示される。
【００７７】
【表２】
0006386059.tif 000003
表２において、ブルートゥース信号強度値がＰ１−Ｐ４の範囲にある場合、二つの電子デバイス間に対応するインタラクション距離値はＳ１である。
【００７８】
表１または表２の対応関係に応じて、既に取得された二つの電子デバイス間のブルートゥース信号強度値に基づいて、第一電子デバイスと第二電子デバイスとの間のインタラクション距離値を確定することができる。
【００７９】
＜方式二＞
前記二つの電子デバイスにインストールされたＧＰＳにより各々の位置情報をそれぞれ取得し、最終的に元の距離値を確定することができる。
【００８０】
二つの電子デバイスの位置情報は、経緯度値、または同一の参照物に対する相対距離値であってよい。
【００８１】
インタラクション時間は、同様に以下の二種の方式のうちのいずれの一種によって確定されることができる。
【００８２】
＜方式一＞
第一電子デバイスと第二電子デバイスが既にブルートゥース接続を確立したため、二つの電子デバイス間のブルートゥースを介して通信する通信時間を直接インタラクション時間として用いることができる。
【００８３】
第一電子デバイスは、第二電子デバイスとブルートゥース接続を確立した後に、タイマーを起動し、ブルートゥース通信が終了した後に、計時を停止し、タイマーの計時時間を読み取ってインタラクション時間とすることができる。
【００８４】
＜方式二＞
二つの電子デバイスが通話した場合、通話時間をインタラクション時間とすることができる。本開示の実施例において、通話時間は、二つの電子デバイス間に一般的な電話コールサービスによって発生された時間であってよく、二つの電子デバイスがビデオまたは音声通話アプリケーションプログラムＡＰＰを用いて通話した後に発生された時間であってよい。
【００８５】
第一電子デバイスは、通話記録における第二電子デバイスとの通話時間を直接読み取ってインタラクション時間とすることができ、または第一電子デバイスは、自体にインストールされた音声通話ＡＰＰを読み取り、例えばウィーチャットＡＰＰにおける第二電子デバイスと音声チャットを行う時間を読み取ってインタラクション時間とすることができる。
【００８６】
本開示の実施例において、上記の方式を用いてインタラクション信号強度値、インタラクション距離値とインタラクション時間のうちの一つまたは複数を取得することができる。
【００８７】
ステップ３０２において、元のインタラクション情報に対して濾過、ノイズ除去と正規化処理を順次行い、ターゲットインタラクション情報を取得する。
【００８８】
本ステップにおいて、元のインタラクション情報を取得した後に、関連関係により元のインタラクション情報を濾過し、その中の干渉メッセージとノイズ等を除去することができ、それによってターゲットインタラクション情報を取得する。
【００８９】
ステップ３０３において、ターゲットインタラクション情報に基づいて、第一電子デバイスの第一ユーザと第二電子節の第二ユーザとの間の社会的関係を確定することができる。
【００９０】
本ステップにおいて、任意的に、第一電子デバイスは、ターゲットインタラクション情報に基づいて、二つの電子デバイスのユーザの間の社会的関係を確定することができ、ターゲットインタラクション情報がターゲットインタラクション信号強度値、ターゲットインタラクション距離とターゲットインタラクション時間のうちの一つまたは複数が含まれる。上記の方法によりユーザ間の社会的関係が親密な社会的関係、一般的な社会的関係または未知の社会的関係に属するのを確定する。
【００９１】
ステップ３０４において、アプリケーションプログラムＡＰＰにより社会的関係を提示する。
【００９２】
本ステップにおいて、電子デバイスにインストールされたＡＰＰにより、分析された社会的関係を提示することができる。
【００９３】
例えば、第一ユーザと第二ユーザとの間の社会的関係が親密な社会的関係に属するのが既に確定されたため、第一ユーザが第一電子デバイス上の支払取引ＡＰＰにログインした場合、支払取引ＡＰＰにより、第一ユーザと第二ユーザが親密な社会的関係に属するのを提示でき、アカウントバインディング等の操作を行うことができる。
【００９４】
または、第一ユーザと第二ユーザとの間の社会的関係が未知の社会的関係に属するのが既に確定されたため、第一ユーザが第一電子デバイス上のリアルタイムチャートＡＰＰにログインした場合、リアルタイムチャートＡＰＰにより、第一ユーザが現在未知の第二ユーザと交友することができるのを提示することができる。
【００９５】
上記の実施例において、第一電子デバイスで第二電子デバイスとの間の元のインタラクション情報を自動的に取得し、元のインタラクション情報に対して濾過、ノイズ除去と正規化処理を順次行い、ターゲットインタラクション情報を取得することができる。続いて第一電子デバイスでターゲットインタラクション情報に基づいて、ユーザ間の社会的関係を確定し、かつユーザ間の社会的関係を定性分析した後に、ＡＰＰにより社会的関係を提示することができ、ユーザ体験を向上させる。
【００９６】
前記社会的関係分析方法の実施例に対応し、本開示は、さらに社会的関係分析装置の実施例を提供する。
【００９７】
図４に示すように、図４は本開示の例示的実施例による社会的関係分析装置のブロック図であり、当該装置が取得モジュール４１０と確定モジュール４２０を含む。
【００９８】
ここで、取得モジュール４１０は、第一電子デバイスと第二電子デバイスとの間のターゲットインタラクション情報を取得するように構成され、
確定モジュール４２０は、取得モジュールにより取得されたターゲットインタラクション情報に基づいて、第一電子デバイスの第一ユーザと第二電子デバイスの第二ユーザとの間の社会的関係を確定するように構成される。
【００９９】
上記の実施例において、第一電子デバイスで第二電子デバイスとの間のターゲットインタラクション情報を自動的に取得し、続いて第一電子デバイスでターゲットインタラクション情報に基づいて、ユーザ間の社会的関係を確定し、ユーザの身辺に携帯する電子デバイスに基づいてユーザ間の社会的関係を定性分析することができ、分析結果が比較的正確である。
【０１００】
図５に示すように、図５は本開示の例示的実施例による別の社会的関係分析装置のブロック図であり、該実施例は、前記図４に示す実施例を基にし、取得モジュール４１０が取得サブモジュール４１１と濾過サブモジュール４１２を含む。
【０１０１】
ここで、取得サブモジュール４１１は、第一電子デバイスと第二電子デバイスとの間の元のインタラクション情報を取得するように構成され、
濾過サブモジュール４１２は、取得サブモジュールにより取得された元のインタラクション情報を濾過し、ターゲットインタラクション情報を取得するように構成され、
ここで、元のインタラクション情報は、
インタラクション信号強度値、インタラクション距離値およびインタラクション時間のうちの少なくとも一つを含む。
【０１０２】
上記の実施例において、まず二つの電子デバイス間の元のインタラクション情報を取得し、元のインタラクション情報を濾過し、その中の無駄なメッセージを除去し、さらに濾過して得られたターゲットインタラクション情報に基づいてユーザ間の社会的関係を確定することができ、分析過程の正確性を確保する。
【０１０３】
上記の実施例において、インタラクション信号強度値は、ブルートゥース信号強度値である。
【０１０４】
図６に示すように、図６は本開示の例示的実施例による別の社会的関係分析装置のブロック図であり、該実施例は、前記図５に示す実施例を基にし、取得サブモジュール４１１が第一取得ユニット４１１１を含む。
【０１０５】
ここで、第一取得ユニット４１１１は、ブルートゥース信号強度値に基づいて、インタラクション距離値を取得するように構成される。
【０１０６】
上記の実施例において、二つの電子デバイス間のブルートゥース信号強度値を取得した場合、その後のユーザ間の社会的関係に対する定性分析を行うように、直接ブルートゥース信号強度値に基づいて、二つの電子デバイスとの間のインタラクション距離値を確定することができ、ユーザ体験を向上させる。
【０１０７】
図７Ａに示したように、図７Ａは本開示の例示的実施例による別の社会的関係分析装置のブロック図であり、該実施例は、前記図５に示す実施例を基にし、取得サブモジュール４１１が第二取得ユニット４１１２を含む。
【０１０８】
ここで、第二取得ユニット４１１２は、第一電子デバイスと第二電子デバイスとの間のブルートゥースを介して通信する通信時間を取得し、かつ通信時間をインタラクション時間として確定するように構成される。または、
図７Ｂに示すように、図７Ｂは本開示の例示的実施例による別の社会的関係分析装置のブロック図であり、該実施例は、前記図５に示す実施例を基にし、取得サブモジュール４１１が第三取得ユニット４１１３を含む。
【０１０９】
ここで、第三取得ユニット４１１３は、第一電子デバイスと第二電子デバイスとの間の通話時間を取得し、かつ通話時間をインタラクション時間として確定するように構成される。
【０１１０】
上記の実施例において、二つの電子デバイス間のブルートゥース通信の通信時間を元のインタラクション時間とすることができ、または二つの電子デバイス間の通話時間を元のインタラクション時間とすることもでき、その後のユーザ間の社会的関係に対する定性分析を行うことができるのを確保し、ユーザ体験を向上させる。
【０１１１】
図８に示すように、図８は本開示の例示的実施例による別の社会的関係分析装置のブロック図であり、該実施例は、前記図５に示す実施例を基にし、濾過サブモジュール４１２が濾過ユニット４１２１を含む。
【０１１２】
ここで、濾過ユニット４１２１は、取得サブモジュールにより取得された元のインタラクション情報に対して濾過、ノイズ除去と正規化処理を順次行い、ターゲットインタラクション情報を取得するように構成される。
【０１１３】
上記の実施例において、元のインタラクション情報を濾過する必要があり、無駄なメッセージを除去し、その後のユーザ間の社会的関係に対する定性分析の正確性を確保する。
【０１１４】
図９に示すように、図９は本開示の例示的実施例による別の社会的関係分析装置のブロック図であり、該実施例は、前記図５に示す実施例を基にし、確定モジュール４２０が第一確定サブモジュール４２１、第二確定サブモジュール４２２と第三確定サブモジュール４２３のうちの少なくとも一つを含む。
【０１１５】
ここで、第一確定サブモジュール４２１は、濾過サブモジュールにより濾過されて得られたターゲットインタラクション情報のうちのターゲットインタラクション信号強度値がプリセット強度値を超える場合、社会的関係が親密な社会的関係であることを確定するように構成され、
第二確定サブモジュール４２２は、濾過サブモジュールにより濾過されて得られたターゲットインタラクション情報のうちのターゲットインタラクション距離値がプリセット距離値より小さい場合、社会的関係が親密な社会的関係であることを確定するように構成され、
第三確定サブモジュール４２３は、濾過サブモジュールにより濾過されて得られたターゲットインタラクション情報うちのターゲットインタラクション時間がプリセット時間を超える場合、社会的関係が親密な社会的関係であることを確定するように構成される。
【０１１６】
上記の実施例において、ターゲットインタラクション信号強度値がプリセット強度値を超え、および／またはターゲットインタラクション距離値はプリセット距離値より小さく、および／またはターゲットインタラクション時間がプリセット時間を超える場合、二つの電子デバイスのユーザの間の社会的関係が親密な社会的関係であることを定性分析することができ、分析結果が比較的正確であり、ユーザ体験が高い。
【０１１７】
図１０に示すように、図１０は本開示の例示的実施例による別の社会的関係分析装置のブロック図であり、該実施例は、前記図４に示す実施例を基にし、当該装置がさらに提示モジュール４３０を含む。
【０１１８】
ここで、提示モジュール４３０は、アプリケーションプログラムＡＰＰにより、確定モジュールにより確定された社会的関係を提示するように構成される。
【０１１９】
上記の実施例において、ユーザ間の社会的関係を定性分析した後に、さらに、ＡＰＰにより社会的関係を提示することができ、ユーザ体験を向上させる。
【０１２０】
それに対応して、本開示はさらに社会的関係分析装置を提供し、当該装置は、
プロセッサと、
プロセッサ実行可能命令を記憶するように構成されるメモリを含み、
ここで、プロセッサは、
第一電子デバイスと第二電子デバイスとの間のターゲットインタラクション情報を取得し、
ターゲットインタラクション情報に基づいて、第一電子デバイスの第一ユーザと第二電子デバイスの第二ユーザとの間の社会的関係を確定するように構成される。
【０１２１】
図１１に示すように、図１１は本開示の例示的実施例による社会的関係分析装置のための構造図であり、例えば、装置１１００は、電子デバイス、例えばスマート端末であってよく、該端末が移動電話、コンピュータ、デジタル放送端末、メッセージ送受信デバイス、スマートソケット、スマート血圧計、ゲームコンソール、タブレットデバイス、医療デバイス、フィットネスデバイス、パーソナルデジタルアシスタント等であってよい。
【０１２２】
図１１を参考し、装置１１００は、処理コンポーネント１１０２、メモリ１１０４、電源コンポーネント１１０６、マルチメディアコンポーネント１１０８、オーディオコンポーネント１１１０、入力／出力（Ｉ／Ｏ）インタフェース１１１２、センサコンポーネント１１１４、および通信コンポーネント１１１６のうちの一つまたは複数のコンポーネントを含むことができる。
【０１２３】
処理コンポーネント１１０２は、通常、表示、電話コール、データ通信、カメラ操作と記録操作に関連する操作のような装置１１００の全体操作を制御する。処理コンポーネント１１０２は、上記の方法の全部または一部のステップを完了するように、一つまたは複数のプロセッサ１１２０を含んで命令を実行することができる。また、処理コンポーネント１１０２は、他のコンポーネントとのインタラクションを容易にするために、一つまたは複数のコンポーネントを含むことができる。例えば、処理コンポーネント１１０２は、マルチメディアコンポーネント１１０８と処理コンポーネント１１０２との間のインタラクションを容易にするために、マルチメディアコンポーネントを含むことができる。
【０１２４】
メモリ１１０４は、装置１１００での操作をサポートするために、様々なタイプのデータを記憶するように構成される。これらのデータの例は、装置１１００で操作されるいずれのアプリケーションプログラムまたは方法のための命令、連絡先データ、電話帳データ、メッセージ、ピクチャー、ビデオ等を含む。メモリ１１０４は、スタティックランダムアクセスメモリ（ＳＲＡＭ）、電気的消去可能プログラマブルリードオンリーメモリ（ＥＰＲＯＭ）、プログラマブルリードオンリメモリ（ＰＲＯＭ）、リードオンリメモリ（ＲＯＭ）、磁気メモリ、フラッシュメモリ、磁気ディスクまたはディスクのようないずれのタイプの揮発性または非揮発性記憶デバイスまたはそれらの組合せで実現されることができる。
【０１２５】
電源コンポーネント１１０６は、装置１１００の様々なコンポーネントに電力を提供する。電源コンポーネント１１０６は、電源管理システム、一つまたは複数の電源、および装置１１００に電力を生成、管理および分配することに関連する他のコンポーネントを含むことができる。
【０１２６】
マルチメディアコンポーネント１１０８は、装置１１００とユーザとの間の一つの出力インタフェースを提供するスクリーンを含む。いくつかの実施例において、スクリーンは、液晶ディスプレイ（ＬＣＤ）とタッチパネル（ＴＰ）を含むことができる。スクリーンがタッチパネルを含むと、スクリーンは、ユーザからの入力信号を受信するために、タッチパネルとして実現されることができる。タッチパネルは、タッチ、スライドとタッチパネルウ上のジェスチャをセンシングするために、一つまたは複数のタッチセンサを含む。タッチセンサは、タッチまたはスライド動作の境界をセンシングするだけでなく、タッチまたはスライド動作に関連する持続時間と圧力をセンシングすることができる。いくつかの実施例において、マルチメディアコンポーネント１１０８は、一つのフロントカメラおよび／またはリヤカメラを含む。装置１１００が撮影モードまたはビデオモードのような操作モードにある場合、フロントカメラおよび／またはリヤカメラは、外部のマルチメディアデータを受信することができる。各フロントカメラとリヤカメラは、一つの固定された光学レンズシステムであってよく、または焦点距離と光学ズーム機能を備える。
【０１２７】
オーディオコンポーネント１１１０は、オーディオ信号を出力および／または入力するように構成される。例えば、オーディオコンポーネント１１１０は、一つのマイク（ＭＩＣ）を含み、装置１１００がコールモード、記憶モードと音声識別モードのような操作モードにある場合、マイクは、外部のオーディオ信号を受信するように構成される。受信されたオーディオ信号は、さらにメモリ１１０４に記憶され、または通信コンポーネント１１１６を介して送信されることができる。いくつかの実施例において、オーディオコンポーネント１１１０は、さらにオーディオ信号を出力するように構成されるスピーカーを含む。
【０１２８】
Ｉ／Ｏインタフェース１１１２は、処理コンポーネント１１０２と周辺インタフェースモジュールとの間にインタフェースを提供し、前記周辺インタフェースモジュールがキーボード、クリックホイール、ボタン等であってよい。これらのボタンは、ホームページボタン、ボリュームボタン、スタートボタンとロックボタンを含むことができるが、これらに限定されない。
【０１２９】
センサコンポーネント１１１４は、装置１１００に各方面の状態評価を提供するように構成される一つまたは複数のセンサを含む。例えば、センサコンポーネント１１１４は、装置１１００のオン／オフ状態、コンポーネントの相対的位置決め、例えばコンポーネントが装置１１００のディスプレイとキーパッドであることを検出でき、また、センサコンポーネント１１１４は、さらに装置１１００または装置１１００の一つのコンポーネントの位置変化、ユーザと装置１１００との接触の存在または非存在、装置１１００方位または加速／減速および装置１１００の温度変化を検出することができる。センサコンポーネント１１１４は、いかなる物理的接触がないときに附近物体の存在を検出するように構成される近接センサを含むことができる。センサコンポーネント１１１４は、さらに、イメージングアプリケーションに使用されるように構成されるＣＭＯＳまたはＣＣＤ画像センサのような光センサを含むことができる、いくつかの実施例において、該センサコンポーネント１１１４は、さらに加速センサ、ジャイロセンサ、磁気センサ、圧力センサ、マイクロ波センサまたは温度センサを含むことができる。
【０１３０】
通信コンポーネント１１１６は、装置１１００と他のデバイスとの間の有線または無線通信を容易にするように構成される。装置１１００は、通信基準に基づく無線ネットワーク、例えばＷｉＦｉ，２Ｇまたは３Ｇ、またはそれらの組合せにアクセスすることができる。一つの例示的実施例において、通信コンポーネント１１１６は、放送チャネルを介して外部放送管理システムからの放送信号または放送関連情報を受信する。一つの例示的実施例において、短距離通信を促進するために、通信コンポーネント１１１６は、さらに近距離通信（ＮＦＣ）コンポーネントを含む。例えば、ＮＦＣコンポーネントは、無線周波数識別（ＲＦＩＤ）技術、赤外線データ協会（ＩｒＤＡ）技術、超広帯域（ＵＷＢ）技術、ブルーブルートゥース（ＢＴ）技術および他の技術に基づいて実現されることができる。
【０１３１】
例示的実施例において、装置１１００は、一つまたは複数のアプリケーション専用集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子デバイスによって実現されることができ、上記の方法を実行するように構成される。
【０１３２】
例示的実施例において、メモリ１１０４のような命令を含む非一時的なコンピュータ可読媒体をさらに提供する。前記命令は、装置１１００のプロセッサ１１２０によって実行されて上記の方法を完了することができる。例えば、非一時的なコンピュータ可読媒体は、ＲＯＭ、ランダムアクセスメモリ（ＲＡＭ）、ＣＤ−ＲＯＭ、テープ、フレキシブルディスクと光データ記憶デバイス等であってよい。
【０１３３】
本領域の当業者は、明細書を考慮し、およびここで開示された発明を実践した後に、本開示の他の実施形態を思い出しやすい。本開示の実施例は、本開示の実施例のいかなる変形、用途または適応性変化をカバーすることを意図しており、これらの変形、用途または適応性変化が本開示の実施例の一般的な原理に従いかつ本開示の実施例に開示されない本技術分野中の公知常識または慣用技術手段を含む。明細書および実施例は、例示的なものと見なされるだけであり、本発明の真の範囲と精神は、以下の特許請求の範囲によって示される。
【０１３４】
本開示の実施例は、以上に説明されかつ図面に示された正確な構造に限定されなく、かつその範囲を脱離しなくて様々な修正と変更を行うことができると理解すべきである。本開示の実施例の範囲は、特許請求の範囲のみによって限定される。
【産業上の利用可能性】
【０１３５】
本開示の実施例において、第一電子デバイスで第二電子デバイスとの間のターゲットインタラクション情報を自動的に取得し、続いて前記第一電子デバイスでターゲットインタラクション情報に基づいて、前記第一電子デバイスの第一ユーザと前記第二電子デバイスの第二ユーザとの間の社会的関係を確定し、ユーザの身辺に携帯する電子デバイスに基づいてユーザ間の社会的関係に対して定性分析を行うことができ、分析結果が比較的正確である。
【０１３６】
本開示の実施例において、インタラクション信号強度値、インタラクション距離値、インタラクション時間に基づいてユーザ間の社会的関係に対して定性分析を行うことができ、ユーザ体験を向上させる。
【０１３７】
本開示の実施例において、信号強度値について二つの電子デバイス間のブルートゥース信号強度値を用いるので、インタラクション距離値は、前記ブルートゥース信号強度値によって確定されることができ、また全地球測位システムによりそれぞれ二つの電子デバイスの位置情報を取得することができ、さらに位置情報に基づいて算出した後に前記インタラクション距離値を確定し、インタラクション時間は、電子デバイス間のブルートゥースを介して通信する通信時間に基づいて確定されることができ、また電子デバイス間の通話時間に基づいて確定されることができ、身辺に携帯する電子デバイスに基づいてユーザ間の社会的関係の定性分析の正確性を確保する。
【０１３８】
本開示の実施例において、ターゲットインタラクション信号強度値がプリセット強度値を超え、および／またはターゲット距離値がプリセット距離値より小さく、および／またはターゲットインタラクション時間がプリセット時間を超える場合、二つの電子デバイスのユーザ間が親密な社会的関係であることを定性分析することができ、分析結果が比較的正確であり、ユーザ体験が高い。
【０１３９】
本開示の実施例において、ユーザ間の社会的関係を定性分析した後に、前記ＡＰＰにより前記社会的関係を提示することができ、ユーザ体験を向上させる。
【図１】
0006386059.tif 000004
【図２】
0006386059.tif 000005
【図３】
0006386059.tif 000006
【図４】
0006386059.tif 000007
【図５】
0006386059.tif 000008
【図６】
0006386059.tif 000009
【図７Ａ】
0006386059.tif 000010
【図７Ｂ】
0006386059.tif 000011
【図８】
0006386059.tif 000012
【図９】
0006386059.tif 000013
【図１０】
0006386059.tif 000014
【図１１】
0006386059.tif 000015